(57)【要約】【課題】住人の生活反応を関係者がいち早く確認できて関係者に安心感を与えることができると共に、簡易な構成によりコスト的に有利な緊急通報装置を提供する。【解決手段】住人のライフリズムに応じてライフリズムセンサを有効とするライフリズムオン状態と無効とするライフリズムオフ状態とに設定可能なライフリズムタイマ及び住人の異常を検出可能な異常検出タイマを有して、通信回線を介してセンター装置に接続されたコントローラと、を備え、コントローラは、ライフリズムオン状態において、ライフリズムセンサが住人を最初に検知した場合に予め登録されている住人の関係者に通信回線を介して生活反応信号を送信可能であると共に、ライフリズムセンサが異常検出タイマで設定した所定時間内に住人を検知しない場合にセンター装置に緊急通報を送信可能であることを特徴とする。【選択図】  図４
2014026319.tif 000002
【特許請求の範囲】
【請求項１】
住人が毎日の生活において必ず使用する住宅の所定場所に設置されたライフリズムセンサと、前記住人のライフリズムに応じて前記ライフリズムセンサを有効とするライフリズムオン状態と無効とするライフリズムオフ状態とに設定可能なライフリズムタイマ及び前記住人の異常を検出可能な異常検出タイマを有して、通信回線を介してセンター装置に接続されたコントローラと、を備え、
前記コントローラは、前記ライフリズムオン状態において、前記ライフリズムセンサが住人を最初に検知した場合に予め登録されている住人の関係者に通信回線を介して生活反応信号を送信可能であると共に、前記ライフリズムセンサが前記異常検出タイマで設定した所定時間内に住人を検知しない場合に前記センター装置に緊急通報を送信可能であることを特徴とする緊急通報装置。
【請求項２】
前記生活反応信号は、前記センター装置を介して住人の関係者に送信されるか、もしくは前記コントローラから直接住人の関係者に送信されることを特徴とする請求項１に記載の緊急通報装置。
【請求項３】
前記生活反応信号は、予め登録されている住人の関係者のメールアドレスに送信されることを特徴とする請求項１または２に記載の緊急通報装置。
【発明の詳細な説明】
【技術分野】
【０００１】
本発明は、老人等の一人暮らしの住人の家庭に設置されて、住人に体調不良等の緊急事態が発生した場合に、運営会社等に緊急通報を自動的に行うことが可能な緊急通報装置に関する。
【背景技術】
【０００２】
従来、この種の緊急通報装置としては、住人が生活する上で毎日必ず使用する場所（トイレ等）に設置されたセンサと、このセンサが接続されたコントローラを有し、センサが予め設定した一定時間反応しない場合に、コントローラが住人のライフリズムが異常（緊急事態）であると判定して、緊急通報装置を管理する警備会社等の運営会社に緊急通報を自動的に行うものが知られている。また、他の緊急通報装置としては、センサの情報を、例えば１時間に１回まとめて自動的に通報し、この情報を閲覧可能にすると共に通報される情報から住人の生活反応を管理するものが知られている。なお、緊急通報装置に関する公報としては、例えば特許文献１がある。
【先行技術文献】
【特許文献】
【０００３】
【特許文献１】特開２００２−２４９６７号公報
【発明の概要】
【発明が解決しようとする課題】
【０００４】
しかしながら、このような緊急通報装置において、前者のセンサが一定時間反応しない場合に緊急通報を行う装置にあっては、住人の異常の発生は検出できて、運営会社による対応等が可能になるものの、例えば一人暮らしの老人等の場合に、住人の家族がいち早く住人の生活反応を確認することが困難で住人の家族に安心感を与えることが難しい。また、後者のセンサの情報を一定時間毎に通報する装置にあっては、情報量が多いことからパソコン等のソフト上で異常と判定した場合、この判定結果をインターネット上で家族が確認できるものの、情報量と共に通報・確認回数も多くなる等構成が複雑化して、例えば通信費が嵩む等、コスト的に好ましくない。
【０００５】
本発明は、このような事情に鑑みてなされたもので、その目的は、住人の生活反応を関係者がいち早く確認できて関係者に安心感を与えることができると共に、簡易な構成により通信費等を抑えてコスト的に有利な緊急通報装置を提供することにある。
【課題を解決するための手段】
【０００６】
かかる目的を達成すべく、本発明のうち請求項１に記載の発明は、住人が毎日の生活において必ず使用する住宅の所定場所に設置されたライフリズムセンサと、前記住人のライフリズムに応じて前記ライフリズムセンサを有効とするライフリズムオン状態と無効とするライフリズムオフ状態とに設定可能なライフリズムタイマ及び前記住人の異常を検出可能な異常検出タイマを有して、通信回線でセンター装置に接続されたコントローラとを備え、前記コントローラは、前記ライフリズムオン状態において、前記ライフリズムセンサが住人を最初に検知した場合に予め登録されている住人の関係者に通信回線を介して生活反応信号を送信可能であると共に、前記ライフリズムセンサが前記異常検出タイマで設定した所定時間内に住人を検知しない場合に前記センター装置に緊急通報を送信可能であることを特徴とする。
【０００７】
また、請求項２に記載の発明は、前記生活反応信号が、前記センター装置を介して住人の関係者に送信されるか、もしくは前記コントローラから直接住人の関係者に送信されることを特徴とする。また、請求項３に記載の発明は、前記生活反応信号が、予め登録されている住人の関係者のメールアドレスに送信されることを特徴とする。
【発明の効果】
【０００８】
本発明のうち請求項１に記載の発明によれば、ライフリズムタイマで設定したライフリズムオン状態において、ライフリズムセンサが最初に住人を検知した場合に、コントローラから予め登録されている住人の関係者に通信回線を介して生活反応信号が送信可能であるため、ライフリズム機能の他に、生活反応信号を住人の関係者に自動的に送信する生活反応通報機能を備えることができ、住人が正常に生活していること（生活反応）をその関係者がいち早く確認できて、関係者に安心感を与えることができると共に、ライフリズムセンサの最初の検知信号の利用で、構成を簡易にしてコスト的に有利な緊急通報装置を得ることができる。
【０００９】
また、請求項２に記載の発明によれば、請求項１に記載の発明の効果に加え、生活反応信号が、センター装置を介して住人の関係者に送信されるか、もしくはコントローラから直接住人の関係者に送信されるため、運営会社等のセンター装置を介して送信すれば、関係者と運営会社等で生活反応信号の共有化が図れ、住人のライフリズムの管理の信頼性を高めることができ、また、コントローラから直接送信すれば、関係者への通報をいち早く行って関係者に安心感を素早く与えることができる。
【００１０】
また、請求項３に記載の発明によれば、請求項１または２に記載の発明の効果に加え、生活反応信号が予め登録されている住人の関係者のメールアドレスに送信されるため、パソコンや携帯電話等の通信機器を使用して生活反応信号を住人の関係者に簡単かつ確実に送信することができる。
【図面の簡単な説明】
【００１１】
【図１】本発明に係わる緊急通報装置の一実施形態を示すコントローラのブロック構成図
【図２】同センター装置のブロック構成図
【図３】同ライフリズムセンサ等の設置状態を示す説明図
【図４】同コントローラの動作を示すフローチャート
【図５】同センター装置の動作を示すフローチャート
【図６】同コントローラのライフリズム異常検出時の動作を示すフローチャート
【図７】同コントローラの動作を示すタイミングチャート
【図８】同その変形例を示すタイミングチャート
【発明を実施するための形態】
【００１２】
以下、本発明の実施の形態を図面に基づいて詳細に説明する。
図１〜図７は、本発明に係わる緊急通報装置の一実施形態を示している。本発明に係わる緊急通報装置は、コントローラ１とセンター装置２とで構成されている。このうち前記コントローラ１は、図１に示すように、ＣＰＵ４及びタイマ５等を有して記憶部６が接続されたコントローラ制御部３を備えている。このコントローラ制御部３のタイマ５は、ライフリズムの設定時に使用されるライフリズムタイマ５ａと、ライフリズム異常検出時に使用される異常検出タイマ５ｂ等で構成されている。
【００１３】
前記コントローラ制御部３の入力側には、住人Ｍ（図３参照）を検知可能な熱線センサ等からなるライフリズムセンサ７と、コントローラ１の警戒モード等を解除するための解除スイッチ９等が接続されている。また、コントローラ制御部３には、住人Ｍのライフリズムを設定する際に使用される操作部１０と、コントローラ制御部３等に電源を供給するための電源入力部１１が接続されている。
【００１４】
さらに、コントローラ制御部３の出力側には、液晶表示器やＬＥＤ等からなる表示器１２と、前記記憶部６に予め記憶されている音声を再生するスピーカ１３と、各種制御を行うためのリレー１４等が接続されている。また、コントローラ制御部３には、通信部１５が双方向通信可能に接続され、この通信部１５は、電話網１６に接続された電話回線部１５ａと、後述するセンター装置２に無線で接続されコントローラ１とセンター装置２間で各種のデータをやり取り可能な無線入出力部１５ｂを有している。
【００１５】
そして、図３に示すように、コントローラ１は、住宅１８の居間１９の壁面に取り付けるかもしくは居間１９のテーブル上に取付器具を使用して置き、コントローラ１に設けた図示しない電源コードのプラグを居間１９のコンセントに差し込むことで設置状態とされる。また、このコントローラ１に無線もしくは有線で接続される前記ライフリズムセンサ７は、住人Ｍが住宅１８で毎日使用するトイレ２０の天井もしくは壁面上部に設置され、住人Ｍがトイレ２０を使用した場合に、住人検知信号（例えばオン信号）をコントローラ１に送信するようになっている。
【００１６】
一方、前記センター装置２は、図２に示すように、ＣＰＵ２６とタイマ２７等を有して記憶部２８が接続されたセンター制御部２５を備えている。このセンター制御部２５には、液晶表示器やＣＲＴ等の表示器２９が接続されると共に、その操作によりメールアドレス等をセンター制御部２５を介して記憶部２８に記憶可能な操作部３０が接続されている。また、センター制御部２５には、通信部３１が接続され、この通信部３１は、前記コントローラ１の無線入出力部１５ｂと双方向通信可能な無線入出力部３１ａと、前記記憶部２８に記憶されているパソコンや携帯電話等の通信機器３２のメールアドレスにメールを配信可能なメール配信部３１ｂ等を有している。
【００１７】
次に、このように構成された前記緊急通報装置の動作の一例を図４〜図６のフローチャートに基づいて説明する。なお、図４及び図６に示すフローチャートは、前記コントローラ１の記憶部６に記憶されたプログラムにしたがって自動的に実行され、また、図５に示すフローチャートは、前記センター装置２の記憶部２８に記憶されたプログラムにしたがって自動的に実行される。前記コントローラ１の動作は、図４に示すように、先ず、コントローラ１が住宅１８の居間１９の所定位置に設置されると共に、前記ライフリズムセンサ７がトイレ２０の所定位置に設置された状態で、電源が投入され前記操作部１０で各種の設定操作が行われると、プログラムがスタート（Ｓ１０１）する。
【００１８】
プログラムがスタートすると、ライフリズムがオンか否かが判断（Ｓ１０２）され、この判断Ｓ１０２は「ＹＥＳ」になるまで繰り返される。判断Ｓ１０２で「ＹＥＳ」になると、すなわちコントローラ１の操作部１０の操作で住人Ｍの起床時間と就寝時間が、ライフリズムタイマ５ａに、例えば図７（ａ）に示すように６：００（起床時間）と２０：００（就寝時間）が設定され、ライフリズムタイマ５ａが６：００になってライフリズムオン状態になると、ライフリズムセンサ７がオンか否かが判断（Ｓ１０３）される。
【００１９】
この判断Ｓ１０３も「ＹＥＳ」になるまで繰り返され、この判断Ｓ１０３で「ＹＥＳ」になると、すなわち住人Ｍが起床してトイレ２０に入りライフリズムセンサ７が図７（ｂ）に示すようにオンになると、ライフリズムセンサ７のオンが最初か否かが判断（Ｓ１０４）される。この判断Ｓ１０４で「ＹＥＳ」の場合、すなわちライフリズムオン状態で住人Ｍが起床してトイレ２０に入りライフリズムセンサ７が最初にオンになった場合は、図７（ｃ）に示すように、住人Ｍが正常に生活していることを示す生活反応信号をセンター装置２に送信（Ｓ１０５）して、一連のプログラムがエンド（Ｓ１０６）となる。
【００２０】
一方、判断Ｓ１０４で「ＮＯ」の場合は、判断Ｓ１０２に戻り、該判断Ｓ１０２以降を繰り返す。つまり、コントローラ制御部３は、ライフリズムがオン状態となり、ライフリズムセンサ７が最初にオンとなった場合にのみ、すなわち図７（ｂ）に示すように、ライフリズムセンサ７の最初のオン信号Ｓ１の時にのみ生活反応信号をセンター装置２に送信し、２回目以降のオン信号Ｓ２については無視して生活反応信号は送信しないことになる。
【００２１】
そして、コントローラ１から送信される生活反応信号は、センター装置２において図５に示す如く処理される。すなわち、センター装置２のセンター制御部２５は、プログラムがスタート（Ｓ２０１）すると、コントローラ１から生活反応信号を受信したか否かが判断（Ｓ２０２）され、この判断Ｓ２０２は「ＹＥＳ」になるまで繰り返され、「ＹＥＳ」となった時点で、メール配信先の登録が有りか否かが判断（Ｓ２０３）される。この判断Ｓ２０３で「ＹＥＳ」の場合、すなわち住人Ｍの家族のメールアドレス等の配信先が予めセンター装置２の記憶部２８に記憶（登録）されている場合は、該当する配信先に生活反応信号を受信した旨のメールを配信（Ｓ２０４）して、エンド（Ｓ２０５）となる。
【００２２】
また、判断Ｓ２０３で「ＮＯ」でメールの配信先が登録されていない場合は、そのままエンド（Ｓ２０５）となる。つまり、センター制御部２５は、コントローラ１から生活反応信号を受信した場合に、メールの配信先が登録されている場合にのみ、住人Ｍのライフリズムが正常で異常なく生活していることを示す所定のメールを家族に配信（送信）することになる。
【００２３】
なお、以上の説明においては、コントローラ１から生活反応信号をセンター装置２を介して登録されている家族にメール配信するように構成したが、例えば図４の二点鎖線で示すように、ライフリズムがオン状態で最初のライフリズムセンサ７のオン信号を検知した場合に、コントローラ１の記憶部６に予め記憶してある家族のメールアドレスにコントローラ１から直接メール配信（Ｓ２０４）するようにしても良い。この場合、コントローラ１から家族へのメール配信と同時に、生活反応信号をコントローラ１からセンター装置２に送信することが好ましい。
【００２４】
ところで、本発明に係わる緊急通報装置は、図４及び図５に示した住人Ｍの生活反応を登録されている家族へ通報する「生活反応通報機能」の他に、コントローラ１により、住人Ｍのライフリズムを監視する「ライフリズム機能」をも併せ持っている。以下、このライフリズム機能の動作を、図６のフローチャートに基づいて説明する。プログラムがスタート（Ｓ３０１）すると、前記判断Ｓ１０１と同様に、ライフリズムがオンか否かが判断（Ｓ３０２）され、この判断Ｓ３０２で「ＹＥＳ」の場合は、前記異常検出タイマ５ｂがカウントアップ（Ｓ３０３）される。
【００２５】
そして、ライフリズムセンサ７がオンか否かが判断（Ｓ３０４）され、この判断Ｓ３０４で「ＮＯ」の場合、すなわちライフリズムがオン状態でライフリズムセンサ７がオフの場合は、異常検出タイマ５ｂがタイムアップか否かが判断（Ｓ３０５）される。この判断Ｓ３０５で「ＹＥＳ」の場合、すなわち前記操作部１０の操作により予め設定されている異常検出タイマ５ｂの時間がタイムアップするまでにライフリズムセンサ７が一度もオンしない場合は、住人Ｍに生活反応がないライフリズム異常（Ｓ３０６）と判定して、直ちにセンター装置２に異常通報（Ｓ３０７）を行ってエンド（Ｓ３０８）となる。
【００２６】
一方、前記判断Ｓ３０４で「ＹＥＳ」の場合、すなわちライフリズムがオン状態でライフリズムセンサ７がオンした場合は、異常検出タイマ５ｂのカウントをクリア（Ｓ３０９）して判断Ｓ３０２に戻り、該判断Ｓ３０２以降を繰り返す。また、前記判断Ｓ３０５で「ＮＯ」の場合、すなわち異常検出タイマ５ｂがタイムアップしていない場合は、判断Ｓ３０３に戻り異常検出タイマ５ｂのカウントをアップさせる。
【００２７】
つまり、このライフリズム機能は、ライフリズムがオン状態でライフリズムセンサ７が異常検出タイマ５ｂで予め設定した所定時間内に一度もオンしない場合には、ライフリズム異常としてセンター装置２に異常通報が自動的に行われ、例えば住人Ｍが起床時間を所定時間過ぎても起きずトイレ２０を使用しない場合等のライフリズム異常が検出されることになる。
【００２８】
このように、前記実施形態の緊急通報装置によれば、コントローラ１のライフリズムタイマ５ａで設定したライフリズムがオン状態で、ライフリズムセンサ７が最初に住人Ｍを検知した場合に、コントローラ１から予め登録されている住人Ｍの家族の通信機器３２に通信回線を介して生活反応信号が送信可能に構成されているため、ライフリズムのオン状態時に住人Ｍがライフリズムセンサ７で最初（朝一）に検知されると、生活反応信号が住人Ｍの家族に自動的に送信されることになり、住人Ｍが正常に生活していることをその家族がいち早く確認できて、家族に安心感を与えることができる。
【００２９】
特に、生活反応信号を、コントローラ１と通信回線で接続された運営会社のセンター装置２を介して住人Ｍの家族に送信するようにすれば、家族と運営会社とで生活反応信号の共有化が図れて、住人Ｍの生活反応（ライフリズム）の管理の信頼性を高めることができる。また、生活反応信号をコントローラ１から直接住人Ｍの家族に送信するようにすれば、家族への通報をいち早く行って家族に安心感を素早く与えることができる。
【００３０】
また、ライフリズム機能のために必要不可欠なライフリズムセンサ７の検知信号を利用、すなわち家族への生活反応通報機能と通常のライフリズム機能の両機能にライフリズムセンサ７の信号を共用できるため、新たなセンサ等の設置が不要になると共にソフト的に対応できて、構成簡易にして既存の緊急通報装置にも適用できる等、コスト的に有利な緊急通報装置を提供することが可能となる。また、生活反応信号が予め登録されている住人Ｍの家族のメールアドレスに送信されるため、パソコンや携帯電話等の通信機器３２を使用して生活反応信号を住人の家族に簡単かつ確実に送信することができ、緊急通報装置の使い勝手や付加価値を高めることができる。
【００３１】
なお、前記実施形態においては、メールを住人Ｍの家族の通信機器３２に、センター装置２を介して配信もしくはコントローラ１から直接配信するようにしたが、コントローラ１とセンター装置２の両方から配信するようにしても良いし、メールを配信する関係者としては、家族の他に掛かり付けの医師や看護師あるいは介護士等であっても良い。また、前記実施形態においては、ライフリズムオン状態を起床時間から就寝時間の間に設定したが、例えば図８に示すように、留守となる昼間の時間をライフリズムオフ状態として設定した場合は、各ライフリズムオン状態のときに家族への通報機能がそれぞれ働くようにすれば良い。この場合は、ライフリズムセンサ７をトイレ２０以外に、居間１９、玄関２１、台所２２等の所定位置にも設けることが好ましい。
【００３２】
さらに、前記実施形態におけるコントローラ制御部３やセンター制御部２５のブロック構成図及びこれらの動作、ライフリズムセンサ７の設置場所、あるいは生活反応信号の送信形態等は一例であって、例えばコントローラ制御部３のタイマ５の各タイマ５ａ、５ｂを、同等の動作が得られる一つのタイマで構成したり、記憶部６、２８を各制御部３、２５内に内蔵したり、ライフリズムセンサ７を住人Ｍの健康状態に応じて、居間１９、台所２２、玄関２１、寝室等の所定位置に一つもしくは複数個設置したり、あるいはメール配信時に音声も配信する等、同等の機能が得られる適宜の構成を採用することができる。
【産業上の利用可能性】
【００３３】
本発明は、一人暮らしの一般住宅に限らず、例えば一人暮らしの多いマンション等の集合住宅にも適用できるし、一人暮らしに限らず夫婦二人で暮らす各種住宅等の緊急通報装置にも利用できる。
【符号の説明】
【００３４】
１・・・・・・・コントローラ
２・・・・・・・センター装置
３・・・・・・・コントローラ制御部
５・・・・・・・タイマ
５ａ・・・・・・ライフリズムタイマ
５ｂ・・・・・・異常検出タイマ
６・・・・・・・記憶部
７・・・・・・・ライフリズムセンサ
９・・・・・・・解除スイッチ
１０・・・・・・操作部
１５・・・・・・通信部
１５ａ・・・・・電話回線部
１５ｂ・・・・・無線入出力部
１８・・・・・・住宅
１９・・・・・・居間
２１・・・・・・玄関
２０・・・・・・トイレ
２５・・・・・・センター制御部
３０・・・・・・操作部
３１・・・・・・通信部
３１ａ・・・・・無線入出力部
３１ｂ・・・・・メール配信部
３２・・・・・・通信機器
Ｍ・・・・・・・住人
【図１】
2014026319.tif 000003
【図２】
2014026319.tif 000004
【図３】
2014026319.tif 000005
【図４】
2014026319.tif 000006
【図５】
2014026319.tif 000007
【図６】
2014026319.tif 000008
【図７】
2014026319.tif 000009
【図８】
2014026319.tif 000010